(57)【要約】      （修正有）【課題】簡単な作業で芝を回収する回転ブラシの高さを微調整することができるスイーパーのブラシ高さ調整機構を提供する。【解決手段】塵芥を上方に案内する掻き上げ風導４と、掻き上げ風導内に塵芥を掻き上げるブラシ５と、ブラシ５の地上高さを保持するガイドローラー７とを備えたスイーパーにおいて、掻き上げ風導４の上方には、両端に互いに相反する右ネジ、左ネジを有する回転体１５が横架され、回転体１５の右ネジ、左ネジには、それぞれのネジに螺合する二つのスリーブ１８が設けられ、二つのスリーブ１８は、回転体の回転により、それ自体は回転せずに回転体に対して前進または後退可能に摺動するようになっており、二つのスリーブ１８のそれぞれがリンク機構１９によって近い側のスライドアーム１１に連結され、スリーブ１８の前進または後退によりガイドローラ７が上下動されることで、ブラシ高さを調整する。【選択図】図５
2014218780.tif 000002
【特許請求の範囲】
【請求項１】
塵芥を上方に案内する掻き上げ風導と、この掻き上げ風導内に塵芥を掻き上げるブラシと、このブラシの地上高さを保持するガイドローラーとを備えたスイーパーのブラシ高さ調整機構において、前記ガイドローラーの両側には揺動自在に枢支されたスライドアームがそれぞれ取付けられ、前記掻き上げ風導の上方には、両端に互いに相反する右ネジ、左ネジを有する回転体が横架されると共に、前記回転体が回転可能に軸支されており、前記回転体の右ネジ、左ネジには、それぞれのネジに螺合する二つのスリーブが設けられ、前記二つのスリーブは、前記回転体の回転により、それ自体は回転せずに回転体に対して前進または後退可能に摺動するようになっており、前記二つのスリーブのそれぞれがリンク機構によって近い側の前記スライドアームに連結され、前記スリーブの前進または後退により前記ガイドローラが上下動されることができ、結果としてブラシ高さを調整することができることを特徴とするスイーパーのブラシ高さ調整機構。
【請求項２】
前記回転体の外周に複数の凹部を設け、この凹部にディテント機構のボールを係止させることにより回転体を固定することができることを特徴とする請求項１に記載のスイーパーのブラシ高さ調整機構。
【請求項３】
リンク機構には、両端に互いに相反する右ネジ、左ネジを有するターンバックルが介在されていることを特徴とする請求項１または２に記載のスイーパーのブラシ高さ調整機構。
【発明の詳細な説明】
【技術分野】
【０００１】
本発明は、ゴルフ場・公園等において、芝を刈った後の芝カス等の塵芥を回収するスイーパーの塵芥を掻き上げるブラシ高さ調整機構に関するものである。
【背景技術】
【０００２】
従来のこの種の一般的なスイーパーの例を図１に基づいて説明する。図１はスイーパー全体を示す側面図である。図１において、１はエンジン２により自走するスイーパーの走行車体であり、前輪１ａ、後輪１ｂを有する。この車体１は図１では詳細を省略して示され、油圧駆動によって走行することができる。３は塵芥を入れるホッパー、４はホッパー３に通じる掻き上げ風導、５は掻き上げ風導４内で回転して地上の塵芥を掻き上げる回転ブラシ、６は前記回転ブラシ５により掻き上げられた塵芥を順にホッパー３内に案内、投入するローター、７は掻き上げ風導４に取付られたガイドローラーである。前記掻き上げ風導４は、シリンダー８によってスイーパーの車体１に上下動可能に取付られる。９は前記ローター６を軸支すると共に、掻き上げ風導４の上部を支持し、車体１とを結ぶローター軸支持板、１０は掻き上げ風導４の下部と車体１とを結ぶリンクアームであり、前記掻き上げ風導４はローター軸支持板９とリンクアーム１０により車体１に牽引される。
【０００３】
前記ガイドローラー７は図１に示すように掻き上げ風導４の側部に上下動可能に設けられたスライドアーム１１に取付られ、１２は長孔１１ａ分上下動するスライドアーム１１の固定ボルト、１３はスライドアーム１１のストッパーボルトである。
【０００４】
従来のこの種のスイーパーはエンジン２により走行しながら回転ブラシ５により地上の芝カスなどの塵芥を掻き上げて、掻き上げ風導４からホッパー３内に回収する。
【０００５】
従来のこの種のスイーパーは塵芥を回転ブラシ５によってすくい上げて芝カスなどを回収するのであるが、回転ブラシ５は芝先に軽く触れる程度が良く、きつく当て過ぎると芝を痛め、また当たらないと未回収となる。このため、ブラシと芝面との間隔を一定に保つようにガイドローラー７を取り付けて、ブラシの地上高さを一定にする必要がある。
【０００６】
しかしながら、一般のゴルフ場ではその芝地を大別すると、グリーン、フェアウェイ、ラフとあり、それぞれの芝の毛丈高さは３〜６ｍｍ、８〜１５ｍｍ、２５〜４０ｍｍと違い、各作業が替わる度々に回転ブラシ５の高さ調整を行う必要がある。従来のブラシ高さ調整方法としては、図１に示すように、ガイドローラー７が上下動可能となるようスライドアーム１１に取付け、前記スライドアーム１１の長孔１１ａに挿入されていた固定ボルト１２を緩め、ストッパーボルト１３を螺動することによって調整していた。この調整作業は前記した作業が終わる毎に行わなければならないので、その作業が面倒で調整作業に多大な時間を要していた。また、特にグリーンにおいては、芝の毛丈長さが３〜６ｍｍと短いので回転ブラシ５を当て過ぎると芝を掻いて地表肌が現れたりして、そのブラシ高さの調整をミリ単位で微細に行わなければならない。
【０００７】
このようなブラシ高さの調整作業を簡単に行うことを目的として、特許文献１が提案されている。特許文献１では、スライドアームの上端部に複数枚重ねられた調整板がピンを中心に回転可能に取付けられ、これらの調整板は、掻き上げ風導に設けられたストッパーボルトの下端部に当接して設けられ、アームの上端部とストッパーボルトの下端部の間に介在する調整板の枚数を抜差しして変えることにより、ブラシの高さを調整している。
【０００８】
ミリ単位のブラシ高さの微調整が必要なグリーン上の作業の場合、特許文献１の方法では、調整板も極薄の調整板を複数枚用意する必要があり、しかもこのブラシ高さを芝面に軽く触れながら当て過ぎないように左右の回転ブラシを個別に調整することは、極めて煩わしく、多大な時間を要していた。
【先行技術文献】
【特許文献】
【０００９】
【特許文献１】特開２００７−３１５０１２号公報
【発明の概要】
【発明が解決しようとする課題】
【００１０】
本発明は、かかる従来技術の問題を解消するために創案されたものであり、その目的は、簡単な作業で芝を回収する回転ブラシの高さを微調整することができるスイーパーのブラシ高さ調整機構を提供することにある。
【課題を解決するための手段】
【００１１】
本発明者は、かかる目的を達成するために鋭意検討した結果、掻き上げ風導の上部において互いに相反するネジを両端に有する回転体を設け、これらのネジに螺合する非回転のスリーブをそれぞれ設け、さらに各スリーブをリンク機構により回転ブラシの側部の左右のスライドアームに連結することにより、前記回転体の回転によりスライドアームが上下動してブラシ高さを調整できることを見出し、本発明の完成に至った。
【００１２】
即ち、本発明は、以下の（１）〜（３）の構成を有するものである。
（１）塵芥を上方に案内する掻き上げ風導と、この掻き上げ風導内に塵芥を掻き上げるブラシと、このブラシの地上高さを保持するガイドローラーとを備えたスイーパーのブラシ高さ調整機構において、前記ガイドローラーの両側には揺動自在に枢支されたスライドアームがそれぞれ取付けられ、前記掻き上げ風導の上方には、両端に互いに相反する右ネジ、左ネジを有する回転体が横架されると共に、前記回転体が回転可能に軸支されており、前記回転体の右ネジ、左ネジには、それぞれのネジに螺合する二つのスリーブが設けられ、前記二つのスリーブは、前記回転体の回転により、それ自体は回転せずに回転体に対して前進または後退可能に摺動するようになっており、前記二つのスリーブのそれぞれがリンク機構によって近い側の前記スライドアームに連結され、前記スリーブの前進または後退により前記ガイドローラが上下動されることができ、結果としてブラシ高さを調整することができることを特徴とするスイーパーのブラシ高さ調整機構。
（２）前記回転体の外周に複数の凹部を設け、この凹部にディテント機構のボールを係止させることにより回転体を固定することができることを特徴とする（１）に記載のスイーパーのブラシ高さ調整機構。
（３）リンク機構には、両端に互いに相反する右ネジ、左ネジを有するターンバックルが介在されていることを特徴とする（１）または（２）に記載のスイーパーのブラシ高さ調整機構。
【発明の効果】
【００１３】
本発明のスイーパーのブラシ高さ調整機構によれば、回転体を単に廻すことによって、スリーブが回転体に対して前進または後退し、リンク機構を介して左右のスライドアームが同時に上下動するので、ブラシ高さ調整が簡単にでき、しかも無段階に調整できるので、グリーンにおけるミリ単位の微調整も容易である。また、本発明のブラシ高さ調整機構は、前記リンク機構にターンバックルを介在しているので、左右のブラシ高さ調整も個別にかつ簡単に行なうことができる。
【図面の簡単な説明】
【００１４】
【図１】従来のスイーパー全体を示す側面図である。
【図２】本発明のスイーパーのブラシ高さ調整機構を取付けた掻き上げ風導の正面図である。
【図３】本発明のスイーパーのブラシ高さ調整機構を取付けた掻き上げ風導の側面図である。
【図４】本発明のスイーパーのブラシ高さ調整機構の回転体のディテント機構の側面図である。
【図５】本発明のスイーパーのブラシ高さ調整機構を取付けた掻き上げ風導の斜視図である。
【発明を実施するための形態】
【００１５】
本発明の一実施形態を図２〜図５を参照して説明する。図２，３，５はそれぞれ本発明のスイーパーのブラシ高さ調整機構の正面図、側面図、斜視図を示し、図４は回転体のディテント機構の側面図を示す。図中、前記従来のものと同一または相当部分には同一符号を附して説明を省略する。
【００１６】
図２〜図５において、１４は掻き上げ風導４の上部に横架された架台であり、中央部に両端に相反する方向のネジ（即ち、右ネジ１５ａ、左ネジ１５ｂ）を有する回転体１５が軸方向に回転可能に軸支されている。１５ｃは回転体１５のハンドル、１５ｄは回転体１５の外周に適宜の間隔で複数設けられた凹部で、この凹部１５ｄにディテント機構１６のボール１６ａが係止することにより回転体１５が自由に回動しないように固定できるようになっている。１７はディテント機構のバネで、ボール１６ａを押圧している。１８は前記回転体１５の相反する方向の両端ネジ１５ａ、１５ｂに螺合するスリーブで、中央部が架台１４の係止孔１４ａに貫挿され、スリーブ１８自体が回転しないようになっている。これにより、回転体１５が回動すると、左右両側のスリーブ１８が回転せずに互いに中央方向に摺動し、また、回転体１５が逆方向に回動すると、スリーブ１８が回転せずに互いに離れていく方向に摺動する。
【００１７】
１９は前記スリーブ１８とスライドアーム１１を連結するリンク機構で、架台１４の両端部に軸支されて横方向の力を上下方向に変換する変換リンク２０と、この変換リンク２０と前記スリーブ１８を連結する横リンク２１と、前記変換リンク２０とスライドアーム１１の端部を連結する縦リンク２２とで構成される。２３は縦リンク２２の下端部に介在して螺合されたターンバックルで、両端に相反する右ネジ２３ａ、左ネジ２３ｂを有し、これらのネジの調整により左右のブラシ高さを個別に調整することができる。
【００１８】
次に、図２〜図５を用いて本発明のブラシ高さ調整機構の作用について説明する。図において、回転体１５を回転させると、左右のスリーブ１８がそれぞれ回転体の互いに相反するネジに螺合されているので、回転しないようにされた各スリーブが互いに中央の回転体の方に寄ってくる。これにより、横リンク２１、変換リンク２０が図２に示す矢印方向に回動することになるので、縦リンク２２は上動し、スライドアーム１１も上動する。これに伴ない、ガイドローラー７が上動するので、回転ブラシ５が下がった状態となる。一方、回転体１５を前述とは逆方向に回転させると、スリーブ１８、横リンク２１、変換リンク２０、縦リンク２２は前述とは逆方向に動き、ガイドローラー７は下動し、回転ブラシ５が上がった状態となる。
【００１９】
また、回転ブラシ５の左右高さが異なる場合は、個別にターンバックル２３を回動させると、回動方向により右ネジ２３ａ、左ネジ２３ｂがターンバックル２３中に深く入っていくか、またはターンバックル２３から離れる方向に動くので、回転ブラシ５の左右高さを個別に微調整することができる。
【産業上の利用可能性】
【００２０】
本発明のスイーパーのブラシ高さ調整機構は、簡単な操作でブラシの地上高さを左右同時に無段階に調整できるので、グリーン、フェアウェイ、ラフといった芝の毛丈高さが違う作業場での芝の回収が極めて容易である。
【符号の説明】
【００２１】
１      スイーパーの車体
２      エンジン
３      ホッパー
４      掻き上げ風導
５      回転ブラシ
６      ローター
７      ガイドローラー
８      シリンダー
９      ローター軸支持板
１０    リンクアーム
１１    スライドアーム
１１ａ  長孔
１２    固定ボルト
１３    ストッパーボルト
１４    架台
１５    回転体
１５ａ  右ネジ
１５ｂ  左ネジ
１６    ディテント機構
１７    バネ
１８    スリーブ
１９    リンク機構
２０    変換リンク
２１    横リンク
２２    縦リンク
２３    ターンバックル
２３ａ  右ネジ
２３ｂ  左ネジ
【図１】
2014218780.tif 000003
【図２】
2014218780.tif 000004
【図３】
2014218780.tif 000005
【図４】
2014218780.tif 000006
【図５】
2014218780.tif 000007